(57)【要約】【課題】  透過表示、反射表示の双方において高コントラストの表示を得ることができる半透過反射型の液晶表示装置を提供する。【解決手段】  本発明の液晶表示装置は、１つの画素領域内に反射表示領域３３と透過表示領域３４とが形成され、前記反射表示領域３３のアレイ基板２０上に反射層３５を備え、前記透過表示領域３４と反射表示領域３３との間に、前記液晶層５０の厚さが連続的に変化する傾斜領域１８を有し、前記傾斜領域１８の透過表示領域側の縁端が前記反射層３５の平面領域内に配置されており、前記反射表示領域３３内に第１カラーフィルタ４４が形成され、前記第１カラーフィルタ４４よりも強い着色度を有する第２カラーフィルタ４５が、前記傾斜領域１８と前記透過表示領域３４とに形成されている。前記第１、第２カラーフィルタ４４，４５は、傾斜領域１８の平面領域内で重畳されていても良い。【選択図】        図３
2006053584.tif 000002
【特許請求の範囲】
【請求項１】
対向して配置された一対の基板と、前記一対の基板間に挟持された液晶層とを備え、１つの画素内に反射表示領域と透過表示領域とが形成され、前記反射表示領域に反射層を備えた半透過反射型の液晶表示装置であって、
前記透過表示領域と反射表示領域との間に、前記液晶層の厚さが変化する傾斜領域を有し、
前記反射表示領域内に、第１の色材層が形成されており、
前記第１の色材層よりも強い着色度を有する第２の色材層が、前記透過表示領域に形成されるとともに、
前記第１の色材層と第２の色材層とが、前記傾斜領域に重なる領域において重畳していることを特徴とする液晶表示装置。
【請求項２】
前記画素には画素電極とＴＦＴ素子とが設けられていることを特徴とする請求項１に記載の液晶表示装置。
【請求項３】
請求項１または２に記載の液晶表示装置を表示部に備えたことを特徴とする電子機器。
【発明の詳細な説明】
【技術分野】
【０００１】
本発明は、半透過反射型のカラー液晶表示装置に関するものである。
【背景技術】
【０００２】
半透過反射型液晶表示装置として、特許文献１には、反射表示領域における液晶層の層厚を透過表示領域における液晶層の層厚よりも小さくする構成が開示されている。このような構成はマルチギャップ方式と称せられ、例えば、下基板の透明電極の下層側、かつ反射膜の上層側に、透過表示領域に相当する部分が開口部となった液晶層厚調整層を設けることによって実現できる。すなわち、透過表示領域では反射表示領域と比較して液晶層厚調整層の膜厚分だけ液晶層の層厚を大きくすることにより、透過表示光、反射表示光の双方に対してリタデーションΔｎ・ｄを最適化することができる。ここで、液晶層厚調整層を用いて液晶層の層厚を調整するには、液晶層厚調整層をかなり厚く形成する必要があり、このような厚い層の形成には例えば感光性樹脂などが用いられる。
【特許文献１】特開平１１−２４２２２６号公報。
【発明の開示】
【発明が解決しようとする課題】
【０００３】
しかしながら、上記のマルチギャップ方式の半透過反射型液晶表示装置において、感光性樹脂等で開口部を有する液晶層厚調整層を形成する際にはフォトリソグラフィー技術が用いられるが、その際の露光精度、あるいは現像の際のサイドエッチングなどの原因により、液晶層厚調整層の開口部の縁、すなわち透過表示領域と反射表示領域との境界領域がテーパ状の傾斜面を有する形状となってしまう。その結果、透過表示領域と反射表示領域との境界部分では液晶層の層厚が連続的に変化する結果、リタデーションΔｎ・ｄも連続的に変化することになり、この部分では透過表示光にとっても反射表示光にとっても不適切なリタデーションΔｎ・ｄとなってしまう。また、液晶層を構成する液晶分子は上下基板の配向膜によって初期の配向状態が規定されているが、傾斜面では配向膜の配向規制力が斜めに作用するので、この部分では液晶分子の配向が乱れることになる。
【０００４】
このため、従来のマルチギャップ方式の半透過反射型液晶表示装置において、例えばノーマリーホワイトで設計した場合、液晶層に電圧を印加すると黒表示となるはずであるが、実際には上記の透過表示領域と反射表示領域との境界領域で光漏れが生じ、コントラストが低下するという問題があった。
【０００５】
本発明は、上記の課題を解決するためになされたものであって、透過表示、反射表示の双方において高コントラストの表示を得ることができる半透過反射型の液晶表示装置を提供することを目的としている。
また、上記の液晶表示装置を備えた高品位の表示を実現可能な電子機器を提供することを目的としている。
【課題を解決するための手段】
【０００６】
本発明の液晶表示装置は、上記課題を解決するために、対向して配置された上基板及び下基板と、前記上下基板の間に挟持された液晶層とを備え、１つの画素領域内に反射表示領域と透過表示領域とが形成され、前記反射表示領域の下基板上に反射層を備えた半透過反射型の液晶表示装置であって、前記透過表示領域と反射表示領域との間に、前記液晶層の厚さが連続的に変化する傾斜領域を有し、前記傾斜領域の透過表示領域側の縁端が前記反射層の平面領域内に配置されており、前記反射表示領域内に第１の色材層が形成され、前記第１の色材層よりも強い着色度を有する第２の色材層が、前記傾斜領域と前記透過表示領域とに形成されたことを特徴としている。
本発明の液晶表示装置では、この表示不良部である傾斜領域を反射層の平面領域内に配置するとともに、比較的強い着色度を有する前記第２の色材層をこの傾斜領域まで延在させている。すなわち、傾斜領域に入射した光は、着色度の強い第２の色材層を透過して反射層で反射され、その後、再度着色度の強い第２の色材層を透過して観察者に到達するので、輝度が著しく低下する。液晶層厚の異なる反射表示領域と透過表示領域との間の前記傾斜領域においては、液晶層厚が連続的に変化しているために液晶の配向の乱れ等が生じ、漏れ光が生じるのを避けられないが、上記の構成により、前記傾斜領域の漏れ光が観察者に視認され難くすることができ、反射表示のコントラストが低下するのを防止することができる。透過表示においては、前記傾斜領域の漏れ光の影響を受けないため、良好なコントラストの表示が得られる。また、本発明の液晶表示装置では、前記傾斜領域に遮光膜を設ける必要が無いため、このような遮光膜を設けた場合に比して高輝度の表示が得られるという利点も有している。
【０００７】
次に、本発明の液晶表示装置においては、前記第１の色材層及び第２の色材層が、前記反射層の直上に形成された構成とすることもできる。
上記構成によれば、反射表示における色ずれを効果的に防止することができる。
【０００８】
また、本発明は対向して配置された一対の基板と、前記一対の基板間に挟持された液晶層とを備え、１つの画素内に反射表示領域と透過表示領域とが形成され、前記反射表示領域に反射層を備えた半透過反射型の液晶表示装置であって、前記透過表示領域と反射表示領域との間に、前記液晶層の厚さが変化する傾斜領域を有し、前記反射表示領域内に第１の色材層が形成されており、前記第１の色材層よりも強い着色度を有する第２の色材層が、前記透過表示領域に形成されるとともに、前記第１の色材層と第２の色材層とが、前記傾斜領域に重なる領域において重畳していることを特徴とする。
さらに、前記画素には画素電極とＴＦＴ素子とが設けられていることを特徴とする。
上記構成によれば、前記第１の色材層と第２の色材層とが重畳された部分で色材層の色度が著しく強くなり、透過率が低下するので、この重畳部分を前記傾斜領域に配置することで、先の構成よりもさらに傾斜領域からの漏れ光を低減することが可能になり、表示のコントラストをより高めることができる。
【０００９】
次に、本発明の液晶表示装置においては、前記第１の色材層と第２の色材層との境界が、前記傾斜領域の反射表示領域側の縁端と平面視略同一位置とされた構成とすることが好ましい。
反射層上に第２の色材層が配置されていると、その領域では先に記載のように表示輝度が著しく低下するため、上記構成により反射表示領域側に第２の色材層が配置されないようにすることで反射表示の輝度を最大にすることができる。
【００１０】
次に、本発明の電子機器は、先に記載の本発明の液晶表示装置を表示部に備えたことを特徴とする。この構成によれば、透過表示と反射表示とを切換可能であって、その透過表示及び反射表示において共に明るく高コントラストな表示を可能であって、さらにこれら透過と反射の表示に利用される各領域の境界付近においても、明るく高コントラストな表示を実現可能な電子機器を提供することができる。
【発明を実施するための最良の形態】
【００１１】
（第１の実施形態）
図１は、本発明の第１の実施形態であるアクティブマトリクス型の液晶表示装置を構成するマトリクス状に形成された複数の画素における配線構造を示す回路構成図であり、図２は、図１に示す１画素領域１０の平面構成図であり、図３は、図２に示すＡ−Ａ線に沿う部分断面構造図である。本実施形態の液晶表示装置は、図２及び図３に示すように、１つの画素領域内に反射表示領域３３と透過表示領域３４とを有し、前記表示領域３３，３４の間に傾斜領域１８を有する液晶パネル１と、その背面側に配設されたバックライト（照明装置）２とを備えた半透過反射型の液晶表示装置である。
【００１２】
図１に示すように、本実施形態の液晶表示装置は、複数の走査線１１と、走査線１１に対して交差する方向に延びる複数のデータ線１２と、各走査線１１と並列に延びる容量線１３とがそれぞれ配線された構成を有しており、走査線１１とデータ線１２との各交点付近に、画素領域１０が設けられている。画素領域１０の各々には、画素電極２３と、画素スイッチング素子としてのＴＦＴ素子２２とが形成されており、画像信号が供給されるデータ線１２がＴＦＴ素子２２のソース領域に電気的に接続されている。ＴＦＴ素子２２のゲート電極には、走査線１１が電気的に接続されている。また、画素電極２３はＴＦＴ素子２２のドレインに電気的に接続されており、走査線１１から供給される走査信号によりＴＦＴ素子２２をスイッチングすることで、データ線１２から供給される画像信号を所定のタイミングで画素電極２３に書き込み、液晶層を挟持して対向する電極との間で画像信号を保持するようになっている。また、前記画素電極２３に書き込まれた画像信号のリークを防止するために、上記画素電極２３と並列に保持容量１７が付加されており、保持容量１７を構成する一方の電極は容量線１３に電気的に接続されている。
【００１３】
次に、図２及び図３を参照して図１に示す画素領域１０の詳細な構成について説明する。
図２に示すように、画素領域１０には、平面視矩形状の透光性の画素電極２３と、この画素電極２３の一部領域に平面的に重なるように矩形状の反射層３５が形成されている。この反射層３５が形成された領域が反射表示領域３３とされており、この反射表示領域３３の図示上側の透過表示領域３４は、画素電極２３が形成された領域のうち光を透過する領域とされている。また、反射表示領域３３に対応する平面領域に第１カラーフィルタ（第１の色材層）４４が設けられており、透過表示領域３４から反射層３５の一部と平面的に重なるように第２カラーフィルタ（第２の色材層）４５が前記第１カラーフィルタ４４に連続して設けられている。そして、前記第２カラーフィルタ４５と反射層３５とが平面的に重なる領域は、後述する傾斜領域１８が対応している。また、反射層３５の下層には、容量線１３を構成する矩形状の電極部２６が形成され、この電極部２６の下層に形成された矩形状の容量電極２７と互いに対向して配置され、保持容量１７を構成している。
【００１４】
画素領域１０において、前記画素電極２３の縦横の境界に沿ってデータ線１２及び走査線１１が設けられており、データ線１２と走査線１１との交差部近傍に、ＴＦＴ素子２２が形成されている。ＴＦＴ素子２２は、ポリシリコン半導体層の一部である平面視略Ｕ形のＴＦＴ形成部２４に形成されており、このＴＦＴ形成部２４のＵ形の一方の先端には矩形状の容量電極２７が延設されて前記ＴＦＴ形成部２４とともにポリシリコン半導体層を構成している。
本実施形態に係るＴＦＴ素子２２は、略Ｕ形のＴＦＴ形成部２４と走査線１１とが平面視において交差する２箇所にチャネル領域２２ａ、２２ｂが形成されたダブルゲート型のＴＦＴ素子とされている。ＴＦＴ形成部２４のデータ線１２に沿う一方の腕部の先端にコンタクトホール２５が形成され、このコンタクトホール２５を介してデータ線１２とＴＦＴ素子２２のソース側とが電気的に接続されている。前記コンタクトホール２５と反対側のＴＦＴ形成部２４の腕部先端側がＴＦＴ素子２２のドレイン側とされている。また、図示は省略したが、容量電極２７の図示下端側には、コンタクトホールが形成されており、このコンタクトホールを介して反射層３５と容量電極２７とが電気的に接続されるとともに、ＴＦＴ素子２２のドレインと画素電極２３とが電気的に接続されるようになっている。
【００１５】
一方、図３に示す断面構成図において、本実施形態の液晶表示装置は、互いに対向して配置されたアレイ基板（下基板）２０と、対向基板（上基板）３０と、これらの上下基板２０，３０に挟持された液晶層５０とから概略構成された液晶パネル１と、この液晶パネル１のアレイ基板２０の外面側に配設されたバックライト２とを備えて構成されている。アレイ基板２０は、ガラスやプラスチック、樹脂フィルムなどからなる透明基板２０Ａを有している。前記基板２０Ａの内面側（液晶層５０側）に、容量電極２７と、容量電極２７を覆う第１層間絶縁膜２８と、電極部２６（及び走査線１１）と、電極部２６を覆う第２層間絶縁膜２９と、この第２層間絶縁膜２９上に部分的に形成された反射層３５と、前記反射層３５覆う画素電極２３と、が形成されている。
【００１６】
前記容量電極２７と電極部２６とは液晶パネル垂直方向で互いに対向するように配置されており、ゲート絶縁膜を絶縁層とする保持容量１７を形成している。容量電極２７は第１、第２層間絶縁膜２８，２９を貫通する図示略のコンタクトホールを介して反射層３５（画素電極２３）と電気的に接続されている。
反射層３５は、電極部２６上方の第２層間絶縁膜２９上に形成されており、反射層３５が形成された領域の第２層間絶縁膜２９表面には、微細な凹部３２が複数形成されており、反射層３５による反射光を散乱させるようになっている。また、基板２０Ａの外面側には、偏光板２１が設けられている。
【００１７】
対向基板３０は、ガラスやプラスチック、樹脂フィルムなどからなる透明基板３０Ａを有しており、基板３０Ａの内面側（液晶層５０側）には、水平方向で互いに隣接する第１カラーフィルタ４４と第２カラーフィルタ４５と、これらのカラーフィルタ４４，４５上に部分的に形成された樹脂層３６と、この樹脂層３６を覆うＩＴＯ等の透明導電材料からなる対向電極３７とが設けられている。基板３０Ａの外面側には、偏光板３８が設けられている。
前記樹脂層３６は、画素領域１０の反射表示領域３３に対応する位置に形成されており、この樹脂層３６により反射表示領域３３の液晶層厚ｄｒと、透過表示領域３４の液晶層厚ｄｔとを調整することで前記両表示領域における光路長を調整し、反射表示と透過表示のいずれにおいても高輝度の表示を可能にしている。また樹脂層３６は、その縁端部に、基板３０Ａに対して傾斜した傾斜部３６ａを有しており、本実施形態の液晶表示装置では、前記傾斜部３６ａの外端（すなわち樹脂層３６周縁端）は反射層３５の平面領域内に配置されている。そして、この傾斜部３６ａのうち、反射表示領域３３と透過表示領域３４との間に位置される部分の平面領域を傾斜領域１８としている。
上記第２カラーフィルタ４５は、第１カラーフィルタ４４よりも強い着色度を有して構成されている。この構成により本実施形態の液晶表示装置は、反射表示と透過表示の双方において色彩度が最適化された表示を得られるようになっている。つまり、反射表示領域３３においては、入射した外光が、第１カラーフィルタ４４を透過した後、反射層３５で反射され、再度第１カラーフィルタ４４を透過して観察者に到るのに対し、透過表示領域３４では、バックライト２から出射された光が１回のみ第２カラーフィルタ４５を透過して液晶パネル１正面方向の観察者に到達するので、カラーフィルタを透過する回数を勘案して前記着色度を調整することで、各表示光の色度を適切に調整している。
尚、図示は省略したが、画素電極２３及び対向電極３７上には、これらの電極を覆って配向膜が設けられている。
【００１８】
上記構成の本実施形態の液晶表示装置は、明るい屋外等の外光を利用できる環境では反射表示領域３３の反射層３５により外光を反射させて反射表示を行い、外光の利用が困難な環境では、バックライト２から出射される光を透過させて透過表示を行うようになっている。
本実施形態の液晶表示装置では、図３に示すように、傾斜領域１８の透過表示領域側の縁端が反射層３５の透過表示領域側の縁端と平面視略同一位置とされるとともに、透過表示領域３４側から傾斜領域１８に跨って第２カラーフィルタ４５が形成されている。この構成により、傾斜領域１８の液晶層厚の不均一による表示不良部が、観察者に視認され難く、高輝度、高コントラストの透過表示、反射表示が得られるようになっている。
つまり、前記傾斜領域１８は反射層３５の平面領域内であるため、この傾斜領域１８からの表示光は、反射表示領域３３と同様に、反射層３５により反射された光である。ここで、第２カラーフィルタ４５は傾斜領域まで延在しているので、傾斜領域１８の表示光は、第２カラーフィルタ４５を２回透過した光となる。上述したように、第２カラーフィルタ４５は、第１カラーフィルタ４４よりも強い着色度を有しているので、第２カラーフィルタ４５を２回透過した光は、狭い波長域の光に絞られるため、その輝度が第１カラーフィルタ４４を２回透過した反射表示光や第２カラーフィルタ４５を１回透過した透過表示光に比して著しく低くなる。従って、この表示不良部である傾斜領域１８がほぼ遮光状態となり、この領域の表示光による反射表示のコントラストへの影響を小さくすることができる。
【００１９】
また、前記傾斜領域１８の表示不良によるコントラストの低下を防止するためには、前記傾斜領域１８を含む平面領域に遮光膜を、例えばアレイ基板２０内面の下層側や、対向基板３０の内面側に設けることが考えられるが、この場合には、遮光膜の加工精度や組み付け時のアレイ基板と対向基板のアライメント精度を勘案して前記傾斜領域１８よりも広い平面領域に遮光膜を形成する必要があり、表示輝度が低下することとなる。これに対して、本実施形態の液晶表示装置では、このような遮光膜を設けなくとも、上記したように高コントラストの表示が得られ、かつ上記反射層３５と第２カラーフィルタ４５とが平面的に重なる領域のみの輝度を低下させるため、画素領域内の暗部が必要以上に広くなることが無く、開口率を高くすることができ、高輝度の表示を得ることができる。
【００２０】
また、本実施の形態では、反射表示領域３３の液晶層厚ｄｒと、透過表示領域３４の液晶層厚ｄｔとを異ならせるために対向基板３０の内面側に部分的に樹脂層３６を設けた構成としたが、この液晶層厚を調整する構造は、アレイ基板２０側に設けられていても良い。
また、前記第１カラーフィルタ４４と第２カラーフィルタ４５との境界４６と、傾斜領域１８の反射表示領域側の縁端とを平面視略同一位置に配置した構成としており、この構成により反射表示で最大の輝度が得られるが、本発明に係る液晶表示装置においては、前記第２カラーフィルタ４５が傾斜領域１８を含む平面領域まで延在していればよい。例えば、カラーフィルタの加工精度等により境界４６と傾斜領域１８との位置合わせが困難である場合には、境界４６が反射表示領域３３内に配置された構成とすることが好ましい。この場合には、反射表示における輝度が上記実施の形態の構成に比して低下することとなるが、少なくとも反射表示のコントラスト低下は防止することができる。
【００２１】
（第２の実施形態）
上記第１の実施形態では、第１、第２カラーフィルタ４４，４５を対向基板３０に設けた構成としたが、これらのカラーフィルタ４４，４５は、アレイ基板２０側に設けることもできる。この構成を図４を参照して以下に説明する。図４は、アレイ基板２０の第２層間絶縁膜２９上に形成された反射層３５の直上層として第１、第２カラーフィルタ４４，４５が形成された液晶表示装置の形態を示す断面構成図である。図４に断面構造を示す液晶表示装置は、平面視においては図２に示す上記実施の形態の液晶表示装置と同一の構成を備えており、図２及び図３に示す符号と同一の符号が付された構成要素は、図２及び図３と同一の構成要素である。
【００２２】
図４に示す液晶表示装置では、アレイ基板２０の反射層３５直上の反射表示領域３３に第１カラーフィルタ４４が設けられており、この第１カラーフィルタ４４に隣接して同層に透過表示領域３４と傾斜領域１８とに跨る第２カラーフィルタ４５が形成されている。前記第１、第２カラーフィルタ４４，４５の境界４６は、傾斜領域１８の反射表示領域３３側の縁端と平面視略同一位置とされている。そして、上記第１、第２カラーフィルタ４４，４５を覆って画素電極２３が形成されている。
【００２３】
上記形態の液晶表示装置によれば、上記第１の実施形態の液晶表示装置と同様の効果に加え、反射層３５の直上に色材層であるカラーフィルタ４４が配置されていることで、反射表示の色ずれを防止することができ、表示品質を高めることができる。
【００２４】
（第３の実施形態）
次に、本発明の第３の実施形態を図５を参照して以下に説明する。図５に示す液晶表示装置は、図４に示す液晶層厚調整層である樹脂層３６をアレイ基板２０側に形成したものであり、この樹脂層３６の配置以外は、図４に示す断面構成を有する液晶表示装置と同様の構成とされている。また、その平面構成は、図２に示す液晶表示装置と同様である。従って、図２ないし図４に示す符号と同一の符号が付された構成要素は、図２ないし図４と同一の構成要素であることとする。
【００２５】
図５に示す液晶表示装置では、アレイ基板２０の反射層３５直上の反射表示領域３３に第１カラーフィルタ４４が設けられており、この第１カラーフィルタ４４に隣接して同層に透過表示領域３４と傾斜領域１８とに跨る第２カラーフィルタ４５が形成されている。そして、これらのカラーフィルタ４４，４５上に部分的に樹脂層３６が形成されており、その周縁部に形成される傾斜部３６ａは、その外縁端が反射層３５の透過表示領域側の縁端と平面視略同一位置とされ、その内縁端はカラーフィルタ４４，４５の境界４６と平面視略同一位置とされている。従って、上記傾斜部３６ａの平面領域である傾斜領域１８は、反射層３５の平面領域内に配置され、かつ傾斜領域１８と第２カラーフィルタ４５とが平面的に重なって配置されている。
そして、上記第１カラーフィルタ４４及び樹脂層３６を覆って画素電極２３が形成されている。
【００２６】
上記形態の液晶表示装置によれば、上記第１、第２の実施形態の液晶表示装置と同様の効果に加え、アレイ基板２０上に樹脂層３６が形成されたことで、アレイ基板２０と対向基板３０との貼り合わせに際して個々の画素領域１０におけるアライメント調整が不要であるという利点が得られる。
【００２７】
（電子機器）
図６は、本発明に係る液晶表示装置を表示部に備えた電子機器である携帯電話の一例を示す斜視構成図であり、この携帯電話１３００は、本発明の液晶表示装置を小サイズの表示部１３０１として備え、複数の操作ボタン１３０２、受話口１３０３、及び送話口１３０４を備えて構成されている。
また上記実施の形態の液晶表示装置は、電子ブック、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、高品位のカラー表示を提供することができる。
【００２８】
（第４の実施形態）
本実施形態では、図２及び図３に示す実施形態の半透過反射型カラー液晶表示装置を作製し、そのコントラスト比の評価を行った。また、比較例として、図２及び図３に示す構成において、樹脂層３６の透過表示領域３４側の縁端を、第１、第２カラーフィルタ４４，４５の境界４６と平面視同一位置とした液晶表示装置を作製した。すなわち、比較例の液晶表示装置では、傾斜領域１８は反射層３５の平面領域内に配置されているが、傾斜領域１８には反射表示用の第１カラーフィルタ４４が延在されている。
上記実施例及び比較例の液晶表示装置は、いずれも１画素領域が６６μｍ×１９８μｍで、１７６ドット×２０８ドットのアクティブマトリクス型液晶パネルの背面側にバックライトを配設したものとし、前記画素領域内に形成された反射層３５は、５０μｍ×１００μｍとした。また、樹脂層３６の傾斜部３６ａの幅は６μｍであった。また、いずれの液晶表示装置においても傾斜領域を覆う遮光膜は形成しなかった。
【００２９】
上記にて作製した実施例及び比較例の液晶表示装置を動作させ、その反射率とコントラスト比を測定した結果を以下の表１に示す。この表に示すように、本発明の要件を満たす実施形態の液晶表示装置では、傾斜領域１８に第２カラーフィルタ４５が配置されていない比較例の液晶表示装置に比して、透過表示のコントラスト比及び反射率は同等の性能が得られ、かつ反射表示のコントラスト比において４０％以上の顕著な向上効果が得られることが確認された。
【００３０】
【表１】
2006053584.tif 000003
【図面の簡単な説明】
【００３１】
【図１】図１は、本発明の第１の実施形態の液晶表示装置の配線構造を示す回路構成図である。
【図２】図２は、図１に示す１画素領域１０の平面構成図である。
【図３】図３は、図２に示すＡ−Ａ線に沿う部分断面構造図である。
【図４】図４は、本発明の第２の実施形態における部分断面構成図である。
【図５】図５は、本発明の第３の実施形態における部分断面構成図である。
【図６】図６は、本発明に係る電子機器の一例を示す斜視構成図である。
【符号の説明】
【００３２】
１  液晶パネル、２  バックライト、１０  画素領域、２０  アレイ基板（下基板）、３０  対向基板（上基板）、３５  反射層、３３  反射表示領域、３４  透過表示領域、１８  傾斜領域、４４  第１カラーフィルタ（第１の色材層）、４５  第２カラーフィルタ（第２の色材層）、５０  液晶層
【図１】
2006053584.tif 000004
【図２】
2006053584.tif 000005
【図３】
2006053584.tif 000006
【図４】
2006053584.tif 000007
【図５】
2006053584.tif 000008
【図６】
2006053584.tif 000009